(57)【特許請求の範囲】
【請求項１】
軸方向下方に延びる挟持片部（２１）と、該挟持片部（２１）の上部と連設し且つ軸方向下方に延びる取付片部（２２）とからなるクリップ本体（２）と、前記取付片部（２２）が挿着可能な軸方向上方に開口する挿着孔（３１ａ）を備えた取付凸部（３１）を外面に形成したキャップ本体（３）とからなる筆記具等のキャップ（１）であって、前記挟持片部（２１）の下部内面に第１の挟持部（４）を設けると共に、前記挟持片部（２１）の上部内面と前記取付凸部（３１）の外面との間に第２の挟持部（５）を設け、前記挟持片部（２１）の上部内面に内方突出部（２１ａ）を一体に形成し、前記内方突出部（２１ａ）の内面と前記取付凸部（３１）の外面との間に第２の挟持部（５）を設けたことを特徴とする筆記具等のキャップ。
【請求項２】
前記取付凸部（３１）の下端部に、前記取付凸部（３１）の外面と前記キャップ本体（３）の外面とを滑らかに接続する案内面（３１ｂ）を設けた請求項１記載の筆記具等のキャップ。
【請求項３】
前記キャップ本体（３）が、その外面に取付凸部（３１）を一体に形成した合成樹脂成形体であり、一方、前記クリップ本体（２）が、挟持片部（２１）と取付片部（２２）とを一体に連設した金属板の折り曲げ加工体であると共に、前記挟持片部（２１）の上部を内方へ折曲させることにより内方突出部（２１ａ）を一体に形成し、前記取付凸部（３１）の外面と前記内方突出部（２１ａ）の内面との間に被挟持物（９）を波板状に挟持する第２の挟持部（５）を設けた請求項１又は２記載の筆記具等のキャップ。
【発明の詳細な説明】
【０００１】
【発明の属する技術分野】
本発明は、筆記具等のキャップに関し、特に、クリップが外面に挿着された筆記具等のキャップに関する。
【０００２】
【従来の技術】
従来の筆記具等のキャップにおいて、キャップ本体の外面に取付凸部を設け、前記取付凸部に形成された挿着孔にクリップの取付片部を圧入してなるクリップ付きキャップが広く知られている（例えば、実開昭５７−１９３５８７号公報等）。しかし、前記従来のキャップは、被挟持物（例えば、衣服のポケット、ノート、バインダー等）をクリップに挟持させる際、取付凸部の下端部に被挟持物の上端部が当接し、クリップと被挟持物との挟持箇所が、クリップの挟持片部の下部に位置する玉部の一箇所である。そのため、その挟持力が不十分であり、被挟持物に対してぐらついたり、被挟持物から容易に脱落するおそれがあった。
【０００３】
また、従来のクリップ付きキャップにおいて、クリップの挟持を確実なものにして、被挟持物に対してぐらついたり、被挟持物から脱落することを防止するものとして、被挟持物に対するクリップの挟持位置を二箇所にする構成も知られている（例えば、実開昭５２−２５０３３号公報等）。ところが、前記従来のキャップは、通常のクリップの挟持片部の玉部以外に、もう一つの挟持箇所を形成するために、板バネ等の別部材の取り付けが必要である。したがって、クリップ全体の構造が複雑となり、製造コストを増加させ、安価に提供することが困難である。
【０００４】
【発明が解決しようとする課題】
本発明は前記従来の課題を解決するものであり、クリップと被挟持物との挟持をより一層確実にして、被挟持物からの脱落を十分に防止し、その上、簡易な構造で製造を容易にした安価な筆記具等のキャップを提供しようとするものである。
尚、本発明における「上」とはキャップ閉塞側を指し、「下」とはキャップ開口側を指す。また、「外面」とは「径方向外面」を指し、「内面」とは「径方向内面」を指す。
【０００５】
【課題を解決するための手段】
（概要）
本発明は、軸方向下方に延びる挟持片部２１と、該挟持片部２１の上部と連設し且つ軸方向下方に延びる取付片部２２とからなるクリップ本体２と、前記取付片部２２が挿着可能な軸方向上方に開口する挿着孔３１ａを備えた取付凸部３１を外面に形成したキャップ本体３とからなる筆記具等のキャップ１であって、前記挟持片部２１の下部内面に第１の挟持部４を設けると共に、前記挟持片部２１の上部内面と前記取付凸部３１の外面との間に第２の挟持部５を設け、前記挟持片部２１の上部内面に内方突出部２１ａを一体に形成し、前記内方突出部２１ａの内面と前記取付凸部３１の外面との間に第２の挟持部５を設けたこと（請求項１）を要件とする。（図１〜図１４参照）
【０００６】
被挟持物９は、挟持片部２１の下部内面の第１の挟持部４で挟持されると同時に、挟持片部２１の上部内面と前記取付凸部３１の外面との間の第２の挟持部５で挟持される（図６参照）。前記第１の挟持部４と前記第２の挟持部５とにより、被挟持物９の軸方向に適宜間隔をおいた二箇所を挟持することによって、被挟持物９が確実に挟持され、クリップ付きキャップ１が、被挟持物９に対してぐらついたり、被挟持物９から容易に脱落することが防止される。被挟持物９は、第１の挟持部４で挟持されると同時に、取付凸部３１の外面と内方突出部２１ａの内面との間の第２の挟持部５で挟持される（図６参照）。前記取付凸部３１と前記内方突出部２１ａの挟持作用（即ち、対向する一対の突出部３１，２１ａの挟持）により、より一層、第２の挟持部５での被挟持物９の挟持が強固になり、被挟持物９の挟持が安定したものとなる。
【０００７】
特に、第２の挟持部５を、キャップ本体３の取付凸部３１の外面と、クリップ本体２の挟持片部２１の内面とからなる構成としたこと、即ち、キャップ本体３の外面に配設のクリップ取付用の取付凸部３１を、被挟持物９を挟持する挟持箇所として積極的に利用することによって、第２の挟持部５を構成するために、敢えて別部材をキャップ本体３の外面やクリップ本体２の内面に取り付ける必要がなく、簡易なクリップ構造とすることができる。その結果、製造が容易となり安価なキャップとなる。また、前記内方突出部２１ａが挟持片部２１と一体に形成されるため、第２の挟持部５を構成するために何ら部品点数を増やす必要がなく、簡易な構造のクリップ本体２とすることができる。尚、前記挟持片部２１は、金属製又は合成樹脂製のどちらでもよい。
【０００８】
尚、前記第１の挟持部４、及び第２の挟持部５において、使用時に被挟持物９が挟持可能であるなら、非使用時には、図２に示すように隙間が存在してもよいし、図３に示すように隙間が存在しなくてもよい。
【０００９】
（案内面）
前記請求項１の筆記具等のキャップ１において、前記取付凸部３１の下端部に、前記取付凸部３１の外面と前記キャップ本体３の外面とを滑らかに接続する案内面３１ｂを設けたこと（請求項２）が好ましい。（図１、図６、図９、図１０、図１１、図１４参照）
【００１０】
前記案内面３１ｂによって、被挟持物９をクリップに挿入させる際、被挟持物９が取付凸部３１下端部に引っ掛かることがなく、被挟持物９を、案内面３１ｂに沿って摺動させ第２の挟持部５へスムーズに挿入させることができる。尚、前記案内面３１ｂの形状は、取付凸部３１の外面と、該取付凸部３１下方のキャップ本体３の外面とを滑らかに接続する構成であればよく、即ち、軸方向上方に向かうに従い次第に径方向外方へ向かう形状ならばよく、例えば、傾斜面状（図１、図９、図１０参照）、凸曲面状（図１４参照）、凹曲面状、階段状等が挙げられる。
【００１４】
（波板状に挟持する第２の挟持部）
前記請求項１又は２の筆記具等のキャップ１において、前記キャップ本体３が、その外面に取付凸部３１を一体に形成した合成樹脂成形体であり、一方、前記クリップ本体２が、挟持片部２１と取付片部２２とを一体に連設した金属板の折り曲げ加工体であると共に、前記挟持片部２１の上部を内方へ折曲させることにより内方突出部２１ａを一体に形成し、前記取付凸部３１の外面と前記内方突出部２１ａの内面との間に被挟持物９を波板状に挟持する第２の挟持部５を設けたこと（請求項３）が好ましい。
【００１５】
内方突出部２１ａ内面と取付凸部３１の外面の間（即ち第２の挟持部５）で、図７に示すように被挟持物９を波板状に挟持することができ、被挟持物９とキャップ１との横ズレ（即ちクリップ挿入方向と垂直方向のズレ）を防止する。特に、この構成は、被挟持物９が厚手の場合に有効である。
ここで、波板状とは、例えば、横断面形状が波状、凹凸状、鋸歯状、ジグザグ状、Ｗ字状、Ｓ字状、Ｌ字状、コ字状等を言う。すなわち、第２の挟持部９において、被挟持物９が周方向の段差を有するよう挟持されていればよい。
【００１６】
前記内方突出部２１ａの形状は、具体的には、縦断面曲面状（図１、図９、図１０参照）、縦断面台形状、又は縦断面三角形状等、例示できる。特に、内方突出部２１ａの軸方向下側が滑らかな凸曲面または傾斜面を備えることによって、被挟持物９の引っ掛かりのないスムーズな挿着を可能にする。また、前記内方突出部２１ａは、軸方向に延びるリブ（具体的には図２のような板状リブ、図１２のような帯状リブ）であることが、被挟持物９の挿入性の良好な点、及び被挟持物９に対する横ズレ防止効果が優れている点で好ましい。
【００１７】
また、金属板を、折り曲げ加工することにより、挟持片部２１、取付片部２２、及び内方突出部２１ａを一体に形成することにより、十分な挟持力を有するクリップ本体２を、簡易構造により安価に製造することができる。さらに、前記金属板製の挟持片部２１の下部内面に玉部２１ｂを一体に折曲成形することによって、より一層、簡易構造のクリップ本体にして製造工程を簡素化できる。
【００１８】
また、前記取付片部２２が金属よりなると同時に前記取付凸部３１が合成樹脂よりなることから、挿着孔３１ａにクリップ本体２の取付片部２２を圧入挿着させる際、金属よりなる硬質な取付片部２２が合成樹脂よりなる軟質な取付凸部３１の挿着孔３１ａを弾性変形により押し広げる。そのため、前記挿着孔３１ａにクリップ本体２の取付片部２２を圧入挿着させる際の挿入力を軽減させることができると同時に、合成樹脂からなる取付凸部３１の挿着孔３１ａの締めつけ力により、挟持片部２１と取付凸部３１との強固な固着が維持される。
【００１９】
（第１の挟持部）
前記第１の挟持部４の例としては、挟持片部２１の下部内面に設けた玉部２１ｂとキャップ本体３の外面とからなる構成（図１，図１１参照）、挟持片部２１の下部内面に設けた玉部２１ｂと筆記具本体８の外面とからなる構成（図９参照）、キャップ本体３の外面に設けた突起３２と挟持片部２１の下部内面とからなる構成（図１０参照）、又は、筆記具本体８の外面に設けた突起８１と挟持片部２１の下部内面とからなる構成（図示せず）等、挙げることができる。
【００２０】
（取付凸部）
請求項１及び２の筆記具等のキャップ１において、前記取付凸部３１は、キャップ本体３に別部材の取り付けにより構成してもよいが、キャップ本体３と一体に形成することが製造上有利である。前記取付凸部３１は、キャップ本体３の外面より径方向外方に隆起したものなら、いずれの形状でもよく、例えば、横断面形状は、長方形（図２参照）、台形、半円形、半楕円形、凸形状、凹形状（図１２参照）、波形状等、適宜である。特に、前記取付凸部３１は、軸方向上方に開口する挿着孔３１ａを内部に容易に形成させるために、軸方向の適宜長さを有する軸方向に延びる突条であることが好ましい。また、第２の挟持部５での挟持力を向上させるために、前記取付凸部３１の外面にさらに小突起、リブ、又は溝（図１２参照）等を設けてもよい。
【００２１】
（挿着孔）
前記挿着孔３１ａは、クリップ本体２の取付片部２２が挿入可能なよう、取付片部２２の形状の大きさに対応していることは勿論、軸方向上方に開口していればよく、その他の形状は特に限定されない。例えば、軸方向下方に貫通していたり、径方向外方に溝状に開口してもよい。また、前記挿着孔３１ａは、キャップ本体３の軸方向に設けることが、クリップの挿着性が良好な点、及び孔を容易に形成できる点で好ましい。
【００２２】
（その他）
尚、本発明において、キャップ本体３を構成する合成樹脂材料としては、例えば、ポリプロピレン、ポリエチレン、ポリカーボネート、ポリエチレンテレフタレート等が挙げられる。また、クリップ本体２を構成する金属材料としては、例えば、炭素鋼、合金鋼、ステンレス鋼等が挙げられる。また、本発明のキャップ１は、例えば、マーキングペン、サインペン、ボールペン、パイプペン、万年筆等の筆記具、或いは、修正液、化粧液、接着剤等の塗布具に適用可能である。
【００２３】
【発明の実施の形態】
本発明の実施の形態を図面に従って説明する。（図１〜図１４参照）
【００２４】
▲１▼第１実施例
図１〜図８に本発明の第１実施例を示す。
キャップ１は、主にクリップ本体２とキャップ本体３とからなる。
【００２５】
（クリップ本体）
前記クリップ本体２は、金属板の折り曲げ加工体であり、軸方向に延びる挟持片部２１と、該挟持片部２１の上端部を略Ｕ字状に折り曲げ、軸方向下方に延設した取付片部２２とからなる。
【００２６】
（挟持片部）
前記挟持片部２１は、横断面が「コ」の字形状を有するよう、その両側縁部が折り曲げ加工され、挟持片部２１の曲げ強度を向上させている（図２及び図３参照）。また、前記挟持片部２１の下端部内面には、半球状の玉部２１ｂが一体に折り曲げ形成される（図４参照）。そして、前記玉部２１ｂの内面とキャップ本体３の外面との間には第１の挟持部４を構成されている。前記玉部２１ｂ内面は、非使用時にキャップ本体３の外面と圧接しており、それにより、使用時にはキャップ本体３の外面との間で、比較的小さい厚みの被挟持物９でも確実に挟持することができる。
【００２７】
また、前記挟持片部２１の上端部内面には、二本のリブよりなる内方突出部２１ａが一体に形成される。前記リブは、挟持片部２１の円弧状に膨出した両側縁部を径方向内方に折り曲げることにより得られる。また、前記内方突出部２１ａを形成する円弧状に膨出した箇所の挟持片部２１の外面には、ボールペンのペン先のボールのサイズを示す表示２１ｃが印刷されている。ここでは、０．５ｍｍのボール外径を示す表示２１ｃが印刷されている（図５参照）。
【００２８】
（取付片部）
前記取付片部２２は、図４に示すように、両側縁部に鋸歯状の突起２２ａが設けられ、挿着孔３１ａの内面と食いつき嵌合する。それにより、クリップ本体２が挿着孔３１ａから容易に抜けることがない。
【００２９】
（キャップ本体）
前記キャップ本体３は、合成樹脂（例えば透明性ポリカーボネート）の射出成形により得られる有底筒体である。
【００３０】
（取付凸部）
前記キャップ本体３の上部外面には、軸方向に延びる略直方体形状の突条よりなる取付凸部３１が一体に形成されている。前記取付凸部３１の内部には、軸方向上方に開口する挿着孔３１ａが設けられている。前記挿着孔３１ａの形状は、挿着されるクリップの取付片部２２の形状に対応した形状をしている。また、前記取付凸部３１の下端部には、前記取付凸部３１の外面と、該取付凸部３１下側のキャップ本体３の外面とを滑らかに接続する傾斜面状の案内面３１ｂが形成されている。
【００３１】
また、取付凸部３１の外面と、クリップ本体２の内方突出部２１ａの内面との間（即ち、第２の挟持部５）には、比較的大きな隙間が形成されている。そのため、比較的厚みのある被挟持物９を容易に挟持することができる（図２、図７参照）。
【００３２】
また、前記キャップ本体３の上端には、筆記具のインキ色を表示するために、筆記具のインキ色と同色に着色された合成樹脂成形部材よりなる頭冠６が嵌着されている。さらに、前記キャップ本体３の内の上部には、筆記具のインキ色と同色に着色されたゴム等の弾性材料よりなるペン先シール部材７が配置される。前記ペン先シール部材７は、その外周面が、キャップ本体３内周面に突設の複数のリブ３３によって圧入保持されている。
【００３３】
（作用）
前記第１実施例の作用を説明する。（図６、図７、及び図８参照）
被挟持物９をクリップに挿入する過程において、最初に、被挟持物９の上端部が、玉部２１ｂに当接すると同時に、挟持片部２１の下端部を径方向外方へ押し広げ、第１の挟持部４に挟持される。
【００３４】
次に、被挟持物９は、第１の挟持部４に挟持されながら、キャップ本体３の上方に移動し、その上端部が、取付凸部３１の下端部に形成した傾斜面状の案内面３１ｂに当接する。
【００３５】
そして、被挟持物９の上端部は、前記案内面３１ｂに導かれ、取付凸部３１の外面と内方突出部２１ａの内面との間（即ち第２の挟持部５）に円滑に挿入され、最後にクリップ本体２の上端部下面（具体的には挟持片部２１と取付片部２２とを接続する連結部の下面）に当接し、挿入過程は終了する。
【００３６】
クリップへの挿入後、被挟持物９は、第１の挟持部４と第２の挟持部５の軸方向適宜間隔をおいた二箇所にて挟持されるため、抜け落ちやぐらつきのない十分な挟持が維持されている。特に、図７に示すように、取付凸部３１が内方突出部２１ａの二本の板状リブの周方向の間に位置しているため、被挟持物９は第２の挟持部５において波板状に挟持され、キャップ１が被挟持物９に対して横ズレすることが防止される。
【００３７】
▲２▼第２実施例
図９に本発明の第２実施例を示す。
キャップ１は、第１実施例と同様、外面に取付凸部３１が一体に形成された合成樹脂製のキャップ本体３と、挟持片部２１と取付片部２２とが一体に連設された金属板の折り曲げ加工体からなるクリップ本体２とからなる。第２の挟持部５は、第１実施例と同様、キャップ本体３の外面の取付凸部３１と、クリップ本体２の挟持片部２１の上端部の内方突出部２１ａ（二本の板状リブ）とから構成される。
【００３８】
第１実施例と異なる点は、挟持片部２１の下端部の折り曲げ加工により、該挟持片部２１の下端部内面に一体に玉部２１ｂを形成し、前記玉部２１ｂの内面と筆記具本体８の外面との間に第１の挟持部４が形成される点にあり、他の構成、及び作用効果は第１実施例と同様である。
【００３９】
▲３▼第３実施例
図１０に本発明の第３実施例を示す。
キャップ１は、第１、第２実施例と同様、外面に取付凸部３１が一体に形成された合成樹脂製のキャップ本体３と、挟持片部２１と取付片部２２とが一体に連設された金属板の折り曲げ加工体からなるクリップ本体２とからなる。第２の挟持部５は、第１、第２実施例と同様、キャップ本体３の外面の取付凸部３１と、クリップ本体２の挟持片部２１の上端部の内方突出部２１ａ（二本の板状リブ）とから構成される。
【００４０】
第１、第２実施例と異なる点は、キャップ本体３の外面に一体に突起３２を形成し、前記突起３２の外面と、板状の挟持片部２１の下部内面との間に第１の挟持部４を構成した点であり、他の構成、及び作用効果は第１実施例と同様である。
【００４１】
▲４▼第４実施例
図１１〜図１３に本発明の第４実施例（第１実施例の変形例）を示す。
キャップ１は、第１実施例同様、外面に取付凸部３１が一体に形成された合成樹脂製のキャップ本体３と、挟持片部２１と取付片部２２とが一体に連設された金属板の折り曲げ加工体からなるクリップ本体２とからなる。
【００４２】
前記クリップ本体２は、金属板の折り曲げ加工により、軸方向下方に延設する挟持片部２１と取付片部２２が一体に連設されている。前記挟持片部２１の上部中央は、帯状に打ち抜かれると共に径方向内方に押圧変形され、帯状の内方突出部２１ａが形成される。また、前記挟持片部２１の下部中央は、同様に、帯状に打ち抜かれると共に径方向内方に押圧変形され、帯状の玉部２１ｂが形成される。そして、前記帯状の内方突出部２１ａの内面と取付凸部３１の外面とにより第２の挟持部５が構成され、前記帯状の玉部２１ｂの内面とキャップ本体３の外面とにより第１の挟持部４が構成される。
【００４３】
また、取付凸部３１の外面は、図１２に示すように、凹状となり、両側に突条が形成され、前記凹状の外面とクリップ本体２の帯状の内方突出部２１ａとの間で、第１実施例（図７）と同様、被挟持物９を波板状に挟持することができる。尚、他の構成、及び作用効果は第１実施例と同様である。
【００４４】
▲５▼第５実施例
図１４に本発明の第５実施例（第３実施例の変形例）を示す。
キャップ１は、第３実施例同様、外面に取付凸部３１が一体に形成された合成樹脂製のキャップ本体３と、挟持片部２１と取付片部２２とが一体に連設された金属板の折り曲げ加工体からなるクリップ本体２とからなる。
【００４５】
第３の実施例と異なる点は、第３実施例（図１０）の第２の挟持部５を構成する内方突出部２１ａが存在しない点と、取付凸部３１の下端部に形成された案内面３１ｂが凸曲面である点である。それにより、金属板製のクリップ本体２を、より一層、シンプルな形状にして安価に製造することができる。他の構成、及び作用効果は第３実施例同様である。
【００４６】
【発明の効果】
本発明の筆記具等のキャップは、請求項１の構成により、クリップと被挟持物との挟持をより一層確実にし、被挟持物からの脱落を防止すると共に、簡易な構造により製造を容易にし、安価に提供できる。本発明の筆記具等のキャップは、請求項１の構成により、取付凸部と内方突出部の挟持作用により、より一層、第２の挟持部での被挟持物の挟持が強固になり、被挟持物の挟持が安定したものとなる。
【００４７】
本発明の筆記具等のキャップは、請求項２の構成により、被挟持物をクリップに挿入させる際、被挟持物を、取付凸部下端に引っ掛けることがなく、第２の挟持部へスムーズに挿入させることができる。
【００４９】
本発明の筆記具等のキャップは、請求項３の構成により、第２の挟持部において被挟持物を波板状に挟持して、被挟持物とキャップとの横ズレが防止されると共に、クリップ本体を金属製板状体の折り曲げ加工により形成するため、簡易構造でしかも十分な挟持力を有するクリップ本体とすることができる。
【図面の簡単な説明】
【図１】本発明のキャップの第１実施例を示す縦断面図である。
【図２】図１のＡ−Ａ線拡大断面図である。
【図３】図１のＢ−Ｂ線拡大断面図である。
【図４】クリップ本体の背面図である。
【図５】クリップ本体の正面図である。
【図６】図１のキャップのクリップの作用を説明する縦断面図である。
【図７】図６のＣ−Ｃ線拡大断面図である。
【図８】図６のＤ−Ｄ線拡大断面図である。
【図９】本発明のキャップの第２実施例を示す縦断面図である。
【図１０】本発明のキャップの第３実施例を示す縦断面図である。
【図１１】本発明のキャップの第４実施例を示す縦断面図である。
【図１２】図１１のＥ−Ｅ線拡大断面図である。
【図１３】図１１のＦ−Ｆ線拡大断面図である。
【図１４】本発明のキャップの第５実施例を示す縦断面図である。
【符号の説明】
１  キャップ
２  クリップ本体
２１  挟持片部
２１ａ  内方突出部（二本のリブ）
２１ｂ  玉部
２１ｃ  表示
２２  取付片部
２２ａ  鋸歯状の突起
３  キャップ本体
３１  取付凸部
３１ａ  挿着孔
３１ｂ  案内面
３２  突起
３３  複数のリブ
４  第１の挟持部
５  第２の挟持部
６  頭冠
７  ペン先シール部材
８  筆記具本体
９  被挟持物
【図１】
0003881105.tif 000002
【図２】
0003881105.tif 000003
【図３】
0003881105.tif 000004
【図４】
0003881105.tif 000005
【図５】
0003881105.tif 000006
【図６】
0003881105.tif 000007
【図７】
0003881105.tif 000008
【図８】
0003881105.tif 000009
【図９】
0003881105.tif 000010
【図１０】
0003881105.tif 000011
【図１１】
0003881105.tif 000012
【図１２】
0003881105.tif 000013
【図１３】
0003881105.tif 000014
【図１４】
0003881105.tif 000015